(57)【要約】【課題】強風下においても雨水の床下空間への浸入を確実に防止して床下空間の換気を図る。【解決手段】基礎１の天端面に下面との間に換気通路Ｓを形成して壁フレーム２を順に立設する一方、取付金具４に、ウエブ部６３に長手方向に間隔をおいて複数個の換気口６ａを形成した断面略Ｚ字状のシール部材６を装着した後、シール部材６を装着した取付金具４を壁フレーム２に順に固定する。この際、シール部材６は、下フランジ部６２が基礎１の基礎１の天端面に密着するとともに、その先端部が基礎１の外側角隅部から外方に突出する。次いで、下端部に内方に向かう水切り部５６を連設した基礎水切り５を取付金具４に固定する。これにより、台風などによって基礎水切り５を回り込んで雨水が吹き上げられたとしても、基礎水切り５の水切り部５６およびシール部材６の下フランジ部６２の先端部が投影開口面積を可及的に小さくして雨水の浸入を防止する。【選択図】図１
2010133174.tif 000002
【特許請求の範囲】
【請求項１】
基礎の天端面に下面との間に換気通路を形成して立設された複数個の壁フレームと、壁フレームに設定間隔をおいて固定された複数個の取付金具と、取付金具に連結された基礎水切りと、取付金具に装着され、上下のフランジ部を連設するウエブ部に長手方向に間隔をおいて複数個の換気口が形成された断面略Ｚ字状のシール部材とからなり、基礎水切りは、基礎の天端面の高さ位置よりも下方の下端部に内方に向けて下り勾配の水切り部が連設され、また、シール部材は、その下フランジ部が先端部を基礎の外側角隅部から突出させて基礎の天端面に密着されることを特徴とする床下換気構造。
【発明の詳細な説明】
【技術分野】
【０００１】
この発明は、床下換気構造に関するものである。
【背景技術】
【０００２】
一般に、基礎に換気口を形成し、床下空間に空気を流通させて床下空間の湿気を外部に排出し、床材、あるいは、床下に配置されている鉄骨や各種金物などの腐食を防止することが行われている。しかしながら、基礎に換気口を形成するには、基礎の強度低下を補うため、換気口周縁に特別な配筋が必要になったり、コンクリート打設時に換気口を形成するための特別な型枠が必要になり、施工が煩雑になるという問題があった。
【０００３】
このため、基礎の天端面と外壁パネルの下端面との間に隙間（換気通路）を形成し、この換気通路を利用して床下空間の換気を図ることが行われている（例えば、特許文献１，２参照）。
【特許文献１】特開２００７−２０５０８９号公報
【特許文献２】特開２００７−２８５０６７号公報
【発明の開示】
【発明が解決しようとする課題】
【０００４】
ところで、前述した床下換気構造においては、換気通路に雨水が浸入することを防止するため、外壁パネルの下端部に基礎水切りを垂設している。ここで、外観上の見栄えや外壁パネルとの調和を考慮して、基礎水切りの高さを短縮化した場合、基礎水切りの基礎の天端面の高さ位置からの垂下長さが短くなることから、台風などの強風下においては、基礎水切りの下端縁を回り込んで雨水が吹き上げられ、あるいは、基礎の外側面を伝って雨水が押し上げられ、換気通路を経て雨水が床下空間に浸入するおそれがある。雨水が床下空間に浸入すると、床下空間が高湿度となり、前述したように、床材や鉄骨などに悪影響を与えるものとなる。
【０００５】
本発明は、このような問題点に鑑みてなされたもので、基礎の天端面の高さ位置からの基礎水切りの垂下長さが短い場合であっても、強風下における雨水の床下空間への浸入を確実に防止して床下空間の換気を図ることのできる床下換気構造を提供するものである。
【課題を解決するための手段】
【０００６】
本発明は、基礎の天端面に下面との間に換気通路を形成して立設された複数個の壁フレームと、壁フレームに設定間隔をおいて固定された複数個の取付金具と、取付金具に連結された基礎水切りと、取付金具に装着され、上下のフランジ部を連設するウエブ部に長手方向に間隔をおいて複数個の換気口が形成された断面略Ｚ字状のシール部材とからなり、基礎水切りは、基礎の天端面の高さ位置よりも下方の下端部に内方に向けて下り勾配の水切り部が連設され、また、シール部材は、その下フランジ部が先端部を基礎の外側角隅部から突出させて基礎の天端面に密着されることを特徴とするものである。
【０００７】
本発明によれば、外気は、基礎水切りの水切り部および基礎の外側角隅部から外方に突出するシール部材の下フランジ部の先端部を回り込みながらシール部材の換気口および換気通路を通して床下空間に連通されており、床下空間の換気を図ることができる。一方、台風などの強風下において、雨水が基礎水切りの内面側に回り込むように吹き上げられたとしても、内方に向けて連設された基礎水切りの水切り部および基礎の外側角隅部から外方に突出するシール部材の下フランジ部の先端部が、基礎水切りの内面と基礎の外側面間の空間に上下に段差をおいて突出する形となって投影開口面積を可及的に縮小していることにより、雨水がそれ以上上方へ浸入することを確実に防止できる。また、基礎の外側面に吹き付けられた雨水が外側面を伝って押し上げられたとしても、基礎の外側角隅部から先端部を外方に突出させたシール部材の下フランジ部が基礎の天端面に密着していることにより、それ以上の雨水の浸入を確実に防止することができる。
【０００８】
したがって、基礎の天端面の高さ位置からの基礎水切りの垂下長さが短くなったとしても、強風下において、換気通路を経て、または、基礎を伝って床下空間への雨水の浸入を確実に防止することができる。これにより、外壁パネルとの調和を図るため、あるいは、見栄えの向上を図るために、基礎水切りの高さを短縮化することが可能となる。
【発明の効果】
【０００９】
本発明によれば、基礎の天端面の高さ位置からの基礎水切りの垂下長さが短い場合であっても、強風下における雨水の床下空間への浸入を確実に防止して床下空間の換気を図ることができる。
【発明を実施するための最良の形態】
【００１０】
以下、本発明の実施の形態を図面に基づいて説明する。
【００１１】
図１および図２には、本発明の床下換気構造の一実施形態が示されている。
【００１２】
この床下換気構造は、基礎１と、基礎１に立設された壁フレーム２と、壁フレーム２に固定された外壁パネル３と、壁フレーム２に適宜の間隔をおいて連結された複数個の取付金具４と、取付金具４に連結されて外壁パネル３の下方に配設された長尺な基礎水切り５と、取付金具４に装着されて基礎１の天端面を密封する長尺なシール部材６とから構成されている。
【００１３】
壁フレーム２は、断面略Ｃ字状のリップ溝形鋼からなる左右の縦桟２１および上下の横桟２２によって方形に枠組みするとともに、左右の縦桟２１間に中桟（図示せず）を配設して形成され、必要に応じてＸ字状に掛け渡されたブレースを有している。そして、壁フレーム２は、左右の縦桟２１の上下端部にそれぞれ図示しない補強プレートを溶接しており、これらの補強プレートを基礎１のアンカーボルトにナットを介して固定するとともに、２階の床梁を構成する鉄骨梁などにボルトナットを介して固定することにより、壁フレーム２を基礎１と鉄骨梁との間に固定している。さらには、左右に隣接する壁フレーム２における隣り合う縦桟２１をボルトナットを介して固定することにより、左右の壁フレーム２を相互に連結している。これにより、基礎１の天端面と壁フレーム２における下横桟２２の下面との間に補強プレートの厚みに相当する高さの隙間が形成され、この隙間を換気通路Ｓとして基礎１の内側面側の床下空間とその外側面側の外気とを連通することができる。
【００１４】
外壁パネル３は、押出成形セメント板であって、図示しない固定金具を介して壁フレーム２に固定されている。
【００１５】
取付金具４は、図２に示すように、取付垂下部４１、取付垂下部４１の下端縁から外方に連設された水平部４２、水平部４２の先端縁から下方に連設された連結部４３、連結部４３の下端縁から外方に連設された水平支持部４４および水平支持部４４の先端縁から下方に連設された垂下支持部４５を有し、鋼板を折曲して形成されている。そして、取付金具４は、取付垂下部４１が隣接する壁フレーム２における左右の縦桟２２間の隙間に挿入されたボルト金具７（図１参照）に装着され、ボルト金具７にナットをねじ込むことにより固定される。
【００１６】
なお、取付金具４の水平部４２には、切り起こし片４２１が形成されており、水平部４２の裏面との間に後述するシール部材６の上フランジ部６１の先端縁部を差し込むことにより、シール部材６を保持することができる。
【００１７】
基礎水切り５は、水平支持部５１、水平支持部５１の先端縁から上方に連設された内方垂下部５２、内方垂下部５２の上端縁近傍から外方に向かって下り勾配で連設された傾斜部５３、傾斜部５３の先端縁から下方に向かって連設された外方垂下部５４、外方垂下部５４の略中間部に内方に向かって突出する取付凹部５５および外方垂下部５４の下端縁近傍から内方に向かって下り勾配で連設された水返し部５６を有し、アルミを押出成形して形成されている。そして、基礎水切り５の水平支持部５１、外方垂下部５４、取付凹部５５は、前述した取付金具４の水平部４２、垂下支持部４５、連結部４３および水平支持部４４の外面形状に対応する内面形状を有するように形成されている。
【００１８】
なお、基礎水切り５の水返し部５６は、取付金具４に基礎水切り５を連結した際、基礎１の天端面の高さ位置よりも下方位置から連設するように設定されている。
【００１９】
シール部材６は、上下のフランジ部６１，６２と、上下のフランジ部６１，６２の各端縁間に連設されるとともに、長手方向に間隔をおいて複数個の長孔状の換気口６ａが形成されたウエブ部６３とからなり、ゴムなどの軟質プラスチックによって断面略Ｚ字状に形成されている。そして、シール部材６は、その上フランジ部６１の先端縁部を取付金具４の切り起こし片４２１に差し込んで装着することにより、取り付けられる。
【００２０】
ここで、シール部材６を装着した取付金具４を壁フレーム２に固定した場合、シール部材６は、下フランジ部６２が基礎１の天端面に押し付けられ、上下方向に圧縮されてやや変形する。そして、シール部材６の変形に伴う弾性力によって下フランジ部６２が基礎１の天端面に押圧されて密着するとともに、その先端部が基礎１の外側角隅部から突出するように設定されている。
【００２１】
なお、基礎１の内面側には、鋼製束を介して支持された鋼製大引８などを利用して断熱材９および床材１０が順に敷設されるとともに、床材１０上の壁フレーム２の内方には、内壁１１が立設されている（図１参照）。この場合、断熱材９の下面と基礎１の天端面との間にも一定の隙間が換気通路Ｓとして確保されている。
【００２２】
次に、このように構成された床下換気構造を施工する要領について説明する。
【００２３】
まず、基礎１に壁フレーム２を配置し、アンカーボルト−ナットを介して固定するとともに、隣接する壁フレーム２をボルト−ナットを介して相互に固定する。また、基礎１に固定された壁フレーム２に図示しない鉄骨梁を配置し、ボルト−ナットを介して固定するとともに、隣接する鉄骨梁間に鉄骨梁あるいは梁つなぎを架設し、２階の床梁を形成する。次いで、同様に、２階の床梁に壁フレーム２を固定するとともに、隣接する壁フレーム２を相互に固定した後、２階の壁フレーム２上に小屋梁を固定し、鉄骨構造体を形成する。
【００２４】
一方、１階の隣接する壁フレーム２の左右の縦桟２１間に差し込んだボルト金具７に、予め切り起こし片４２１にシール部材６の上フランジ部６１の先端縁部を装着した取付金具４の取付垂下部４１を挿入し、ボルト金具７にナットをねじ込んで取付金具４を固定する。この際、シール部材６の下フランジ部６２が基礎１の天端面に押し付けられて密着するとともに、その先端部が基礎１の外側角隅部から外方に向けて突出される。次いで、取付金具４の水平部４２、連結部４３、水平支持部４４、垂下支持部４５の外面にそれぞれ基礎水切り５の水平支持部５１、取付凹部５５、外方垂下部５４の内面が密着するようにあてがい、基礎水切り５の取付凹部５５から取付金具４の連結部４３に向けてタッピンねじをねじ込んで基礎水切り５を取付金具４に連結する。
【００２５】
その後、１階の壁フレーム２に外壁パネル３を固定した後、外壁パネル３の下端面と基礎水切り５の傾斜部５３との間にコーキング材１２およびシーリング材１３（図１参照）を順に充填し、外壁パネル３と基礎水切り５間を止水する。
【００２６】
このように構成された床下換気構造によれば、基礎１の天端面の高さ位置からの基礎水切り５の垂下長さが短くなったとしても、強風下において、床下空間に雨水が浸入するのを確実に防止することができる。すなわち、台風などの強風下において、雨水が基礎水切り５の内面側に回り込むように吹き上げられたとしても、内方に向けて連設された基礎水切り５の水切り部５６および基礎１の外側角隅部から外方に突出するシール部材６の下フランジ部６２の先端部が、基礎水切り５の内面と基礎１の外側面間の空間に上下に段差をおいて突出する形となって投影開口面積を可及的に小さくしていることにより、雨水がそれ以上上方へ浸入することを防止できる。また、基礎１の外側面に吹き付けられた雨水が外側面を伝って押し上げられたとしても、基礎１の天端面にはシール部材６の下フランジ部６２が密着していることにより、フランジ部６２によってそれ以上の雨水の浸入を阻止することができる。したがって、外観上の見栄えや外壁パネルとの調和を考慮して基礎水切り５の高さを短縮化することが可能となる。
【００２７】
一方、通常の気候においては、外気は、基礎水切り５の水切り部５６および基礎１の外側角隅部から外方に突出するシール部材６の下フランジ部６２の先端部を回り込みながらシール部材６の換気口６ａおよび換気通路Ｓを通して床下空間に連通されることから、床下空間の換気を図ることができ、床材などへの悪影響を防止して長期使用に供することが可能となる。
【００２８】
ところで、基礎水切り５については、壁パネル３の厚みに対応して変形させることができる。例えば、基礎水切り５としては、図３に示すように、内方垂下部５２を傾斜部５３の先端縁から上方に向かって連設して壁パネル２の左右の縦桟２１の外面に接するようにしてもよく、また、取付凹部５５から水平支持部５１を内方に向かって連設して、取付金具４の水平部４２の外面に載置させるようにしてもよい。
【００２９】
また、前述した実施形態においては、隣接する壁フレーム２の左右の縦桟２１間に挿入したボルト金具７を利用して取付金具４を固定する場合を例示したが、ボルト金具７に限定するものではなく、例えば、クリップなどを利用してワンタッチで取り付けるようにしてもよい。
【図面の簡単な説明】
【００３０】
【図１】本発明の床下換気構造の一実施形態を示す縦断面図である。
【図２】図１の床下換気構造を一部分解して示す斜視図である。
【図３】図１の床下換気構造の変形例を示す縦断面図である。
【符号の説明】
【００３１】
１  基礎
２  壁フレーム
３  壁パネル
４  取付金具
５  基礎水切り
５６  水切り部
６  シール部材
６ａ  換気口
６１，６２  フランジ部
６３  ウエブ部
Ｓ  換気通路
【図１】
2010133174.tif 000003
【図２】
2010133174.tif 000004
【図３】
2010133174.tif 000005